(57)【要約】【課題】  複数種類のバイオメトリクス認証を複合したシステムでは、機器のサイズが大きくなる。【解決手段】  認証入力装置１００において、入力部１０ａは、感圧センサまたはＣＣＤなどの光学式センサなどの入力デバイスの入力面であり、利用者から指紋および署名の入力を受けつける。入力部１０ａは、署名入力の際にはスタイラスなどによる署名入力用タブレットとして機能する。利用者は、指紋または署名を入力する際に、指紋選択ボタン１２または署名選択ボタン１４を押して、認証種別を指定する。利用者が指紋選択ボタン１２を押してから、入力部１０ａに指をおくことで、指紋データが入力デバイスに取り込まれる。また、利用者が署名選択ボタン１４を押してから、入力部１０ａに署名をすることで、筆跡データが入力デバイスに取り込まれる。【選択図】        図１
2005100063.tif 000002
【特許請求の範囲】
【請求項１】
被認証情報として生体情報が入力される単一の入力デバイスを含み、
前記単一の入力デバイスに複数の種類の生体情報が順次入力されることを特徴とする認証装置。
【請求項２】
被認証情報として生体情報および非生体情報が入力される単一の入力デバイスを含み、
前記単一の入力デバイスに前記生体情報と前記非生体情報が順次入力されることを特徴とする認証装置。
【請求項３】
前記被認証情報の種類を選択して指定する認証種別選択部をさらに含み、
前記単一の入力デバイスに前記被認証情報が入力される際、入力される前記被認証情報の種類が前記認証種別選択部によって指定されることを特徴とする請求項１または２に記載の認証装置。
【請求項４】
前記単一の入力デバイスに入力された前記被認証情報の種類をあらかじめ想定された種類の中で判定する判定部と、
前記判定部が、入力された前記被認証情報があらかじめ想定された種類のものではないと判定した場合に、その旨を警告する表示部とをさらに含むことを特徴とする請求項１または２に記載の認証装置。
【請求項５】
前記認証種別選択部によって指定された前記被認証情報の種類に適した特徴抽出処理に切り替えて認証する認証処理部をさらに含むことを特徴とする請求項３に記載の認証装置。
【請求項６】
前記判定部によって判定された前記被認証情報の種類に適した特徴抽出処理に切り替えて認証する認証処理部をさらに含むことを特徴とする請求項４に記載の認証装置。
【請求項７】
単一の入力デバイスへの複数種類の被認証情報の順次入力を受け、前記被認証情報の入力の際に、利用者から前記被認証情報の種類を指定する情報を受けることを特徴とする認証方法。
【請求項８】
単一の入力デバイスへの複数種類の被認証情報の順次入力を受け、前記被認証情報の種類をあらかじめ想定された種類の中で判定することを特徴とする認証方法。
【発明の詳細な説明】
【技術分野】
【０００１】
本発明は、認証技術に関し、特に生体情報その他の被認証情報を用いて本人認証を行う認証装置および認証方法に関する。
【背景技術】
【０００２】
本人認証の方法として、磁気カードやＩＣカードなどの個人の所有物による認証、パスワードや暗証番号などの秘密情報による認証が採用されてきた。近年、これらに代わる認証方法として、本人の指紋、掌紋、顔、虹彩（アイリス）、声紋などの身体的特徴または筆跡やジェスチャーなどの行動的特徴を示す生体情報を認証対象とするバイオメトリクス認証が実用化されてきている。
【０００３】
バイオメトリクス認証の場合、一種類の生体情報だけでは、精度が不十分であったり、人によってはその種類の生体情報を利用できないこともある。そのため、パスワードなどの秘密情報による認証方法を併用したり、複数の種類の生体情報による認証を組み合わせるなどの複合認証技術が開発されている（たとえば、特許文献１参照）。特に、複数種類の生体情報を用いた複合バイオメトリクス認証方法は、一種類の生体情報によるバイオメトリクス認証方法よりも精度を向上させることができ、単独では精度不足で実用化が困難であったバイオメトリックス認証であっても、複合化することで実用化が期待できる。
【特許文献１】特開２００３−３０１５４号公報
【発明の開示】
【発明が解決しようとする課題】
【０００４】
しかしながら、このような複合認証を行う機器やシステムにおいては、認証対象の生体情報の種類毎に個別に入力デバイスが搭載されており、複合化により機器全体のサイズが大きくなり、また、製造コストが増大するという問題があった。また、利用者は複数の入力デバイスを使い分けて生体情報を入力しなければならないため、利便性にも問題がある。
【０００５】
本発明はこうした状況に鑑みてなされたもので、その目的は、複合認証システムの機器構成を簡略化し、コストを抑えることのできる認証技術の提供にある。
【課題を解決するための手段】
【０００６】
本発明のある態様は認証装置に関する。この装置は、被認証情報として生体情報が入力される単一の入力デバイスを含み、前記単一の入力デバイスに複数の種類の生体情報が順次入力される。複数の種類の生体情報は、この単一の入力デバイスに同時には入力されずに、別個に入力される。生体情報には、指紋、掌紋、顔、虹彩、網膜、静脈、声紋など個人の身体的特徴を示すものと、筆跡やジェスチャーなど個人の行動的特徴を示すものとがある。この装置によれば、複数種類の生体情報の入力のために入力デバイスを共有することができる。
【０００７】
本発明の別の態様も認証装置に関する。この装置は、被認証情報として生体情報および非生体情報が入力される単一の入力デバイスを含み、前記単一の入力デバイスに前記生体情報と前記非生体情報が順次入力される。非生体情報には、パスワード、暗証番号などの秘密情報がある。この装置によれば、生体情報の入力デバイスを生体情報以外の入力にも利用することができる。
【０００８】
本発明のさらに別の態様は認証方法に関する。この方法は、単一の入力デバイスへの複数種類の被認証情報の順次入力を受け、前記被認証情報の入力の際に、利用者から前記被認証情報の種類を指定する情報を受ける。
【０００９】
本発明のさらに別の態様も認証方法に関する。この方法は、単一の入力デバイスへの複数種類の被認証情報の順次入力を受け、前記被認証情報の種類をあらかじめ想定された種類の中で判定する。
【００１０】
なお、以上の構成要素の任意の組み合わせ、本発明の表現を方法、装置、システム、記録媒体、コンピュータプログラムなどの間で変換したものもまた、本発明の態様として有効である。
【発明の効果】
【００１１】
本発明によれば、バイオメトリクス認証の精度を向上するとともに、認証装置の小型化と低コスト化を図ることができる。
【発明を実施するための最良の形態】
【００１２】
実施の形態１
本発明の実施の形態１に係る認証システムを説明する。認証システムは、利用者から被認証情報の入力を受け付ける認証入力装置と、認証入力装置に入力された被認証情報をもとに利用者を認証する認証処理装置とを含む。
【００１３】
実施の形態１の認証入力装置は、被認証情報を入力するための単一の入力デバイスと、被認証情報の種類を選択して指定するための認証種別選択部とを含む。実施の形態１の認証入力装置のいくつかのタイプを説明する。
【００１４】
図１は、あるタイプの認証入力装置１００ａの外観を示す図である。入力部１０ａは、感圧センサまたはＣＣＤ（Charge-Coupled Device）などの光学式センサなどから構成された入力デバイスの入力面であり、利用者から指紋および署名の入力を受けつける。入力部１０ａは、署名入力の際にはスタイラスなどによる署名入力用タブレットとして機能する。
【００１５】
指紋選択ボタン１２と署名選択ボタン１４は、利用者が指紋または署名を入力する際に認証種別を選択して指定するためのボタンである。利用者が指紋選択ボタン１２を押してから、入力部１０ａに指をおくことで、指紋データが入力デバイスに取り込まれる。また、利用者が署名選択ボタン１４を押してから、入力部１０ａに署名をすることで、筆跡データが入力デバイスに取り込まれる。
【００１６】
図２は、別のタイプの認証入力装置１００ｂの外観を示す図である。入力部１０ｂは、感圧センサまたは光学式センサなどの入力デバイスの入力面であり、利用者から指紋および印影の入力を受けつける。入力部１０ｂは、印影入力の際には印影入力用プレートとして機能する。利用者が指紋選択ボタン１２を押してから、入力部１０ｂに指をおくことで、指紋データが入力デバイスに取り込まれる。また、利用者が印影選択ボタン１６を押してから、入力部１０ｂに印影をおくことで、印影データが入力デバイスに取り込まれる。
【００１７】
図３は、さらに別のタイプの認証入力装置１００ｃの外観を示す図である。入力部１０ｃは、感圧センサまたは光学式センサなどの入力デバイスの入力面であり、利用者から指紋および掌紋の入力を受けつける。入力部１０ｃは、人間の掌の大きさに作られる。利用者が指紋選択ボタン１２を押してから、入力部１０ｃに指をおくことで、指紋データが入力デバイスに取り込まれる。また、利用者が掌紋選択ボタン１８を押してから、入力部１０ｃに掌をおくことで、掌紋データが入力デバイスに取り込まれる。
【００１８】
図４は、さらに別のタイプの認証入力装置１００ｄの外観を示す図である。入力部１０ｄは、感圧センサまたは光学式センサなどの入力デバイスの入力面であり、利用者から指紋および暗証番号の入力を受けつける。入力部１０ｄは、暗証番号の入力のためのタッチパネルとしても機能する。利用者が入力部１０ｄに表示されたテンキー２０を押すことで暗証番号が入力される。また、利用者がテンキー２０を押したとき、利用者の指紋が入力デバイスに取り込まれる。
【００１９】
図５は、さらに別のタイプの認証入力装置１００ｅの外観を示す図である。画像入力部１１は、光学式センサなどの入力デバイスの入力面であり、利用者から指紋および虹彩の入力を受けつける。利用者が指紋選択ボタン１２を押してから、図６（ａ）のように画像入力部１１に指をおくことで、指紋画像が入力デバイスに取り込まれる。また、利用者が虹彩選択ボタン２２を押してから、図６（ｂ）のように画像入力部１１に瞳を近づけることで、虹彩画像が入力デバイスに取り込まれる。
【００２０】
図７は、さらに別のタイプの認証入力装置１００ｆの外観を示す図である。画像入力部１１は、光学式センサなどの入力デバイスの入力面であり、利用者から指紋および顔面の入力を受けつける。利用者が指紋選択ボタン１２を押してから、画像入力部１１に指をおくことで、指紋画像が入力デバイスに取り込まれる。また、利用者が顔選択ボタン２４を押すと、画像入力部１１には利用者の顔の画像が入力デバイスに取り込まれる。
【００２１】
図８は、本実施の形態の認証システムの構成図である。認証システムは、上記のいずれかのタイプの認証入力装置１００ａ〜１００ｆ（以下、単に認証入力装置１００と呼ぶ）と認証処理装置２００を含む。認証入力装置１００は、センサ５０と、調整部５２と、認証種別入力部５４と、認証データ生成部５６と、通知部５８とを含み、認証処理装置２００は、特徴抽出部７０と、認証部７２と、個人認証データベース７４とを含む。これらの構成は、ハードウエア的には、任意のコンピュータのＣＰＵ、メモリ、その他のＬＳＩで実現でき、ソフトウエア的にはメモリにロードされた認証処理機能のあるプログラムなどによって実現されるが、ここではそれらの連携によって実現される機能ブロックを描いている。したがって、これらの機能ブロックがハードウエアのみ、ソフトウエアのみ、またはそれらの組み合わせによっていろいろな形で実現できることは、当業者には理解されるところである。
【００２２】
認証入力装置１００と認証処理装置２００は接続ケーブル等で接続されてもよく、ネットワークで接続されてもよい。また、認証入力装置１００と認証処理装置２００を単一の認証装置として一体構成にしてもよい。また、認証処理装置２００の特徴抽出部７０と認証部７２が認証入力装置１００側に設けられ、認証入力装置１００が接続ケーブルやネットワークを経由して個人認証データベース７４を検索する構成でもよい。
【００２３】
センサ５０は、感圧センサや光学式センサなどであり、利用者が提示する被認証情報を取得する。認証種別入力部５４は、利用者が被認証情報を入力する際に、利用者がボタンの押し下げ操作などにより選択して指定する被認証情報の種類を受けつける。調整部５２は、認証種別入力部５４が取得した被認証情報の種類にもとづいてセンサ５０のパラメータなどを調整する。たとえば、被認証情報の種類によって、感圧センサの感度を調整したり、ＣＣＤカメラ部のレンズの焦点距離などを調整する。認証データ生成部５６は、センサ５０が取得した信号を処理して、認証データを生成し、認証種別入力部５４が取得した認証種別を示す識別情報を認証データに付加して、認証処理装置２００に提供する。
【００２４】
認証処理装置２００は、認証処理部の構成として、特徴抽出部７０と認証部７２を有する。特徴抽出部７０は、認証入力装置１００から提供された認証データから認証に必要な特徴を抽出する。このとき、認証データに付属する認証種別の識別情報にもとづいて、認証種別に適した画像処理や分析手法を適用し、特徴を抽出する。認証部７２は、抽出された特徴データと、個人認証データベース７４に登録された利用者の特徴データとを比較し、利用者の認証を行う。個人認証データベース７４には、利用者の認証データの生体特徴データ７６と非生体特徴データ７８が含まれる。生体特徴データ７６は、利用者の指紋、虹彩、筆跡などの身体的特徴または行動的特徴のデータであり、非生体特徴データ７８は、パスワード、暗証番号などの秘密知識のデータである。認証部７２は、認証データに付属する認証種別の識別情報にしたがって生体特徴データ７６または非生体特徴データ７８を個人認証データベース７４から検索し、特徴データを照合する。
【００２５】
図９は、実施の形態１に係る認証システムによる認証手順を説明するフローチャートである。ここでは、図５に示したタイプの認証入力装置１００ｅにより構成された認証システムの認証手順を説明する。
【００２６】
認証入力装置１００の認証種別入力部５４は、利用者による認証選択ボタンの押し下げを受け付ける（Ｓ１０）。まず、利用者により指紋選択ボタン１２が押された場合（Ｓ１０のＡ）を説明する。調整部５２は、指紋取得向けにセンサ５０を調整する（Ｓ１２）。指紋入力の場合、利用者は指を認証入力装置１００の画像入力部１１に接触させるため、調整部５２は、センサ５０を構成するＣＣＤカメラ部のレンズの焦点距離を接触面に合わせる。センサ５０により指紋画像が取得される（Ｓ１４）。認証データ生成部５６は、センサ５０が取得した指紋画像に、認証種別入力部５４から取得した認証種別が指紋であることを示す識別情報を付加して、認証処理装置２００の特徴抽出部７０に供給する。特徴抽出部７０は、認証種別が指紋であることから、認証データ生成部５６から供給された指紋画像に対して指紋向けの画像処理を行い、指紋の特徴を抽出する（Ｓ１６）。
【００２７】
認証部７２は、個人認証データベース７４に格納された登録利用者の生体特徴データ７６を検索し、特徴抽出部７０により抽出された利用者の指紋の特徴を登録利用者の指紋の特徴と照合して、一致するものがあるかどうか調べる（Ｓ１８）。照合の結果、登録利用者の指紋であると判定された場合（Ｓ１８のＹ）、通知部５８は、利用者にブザーやランプなどにより許可通知を発し（Ｓ２０）、いずれの登録利用者の指紋とも一致しない場合（Ｓ１８のＮ）、通知部５８は、利用者に拒否通知を発する（Ｓ３０）。
【００２８】
次に、利用者により虹彩選択ボタン２２の押された場合（Ｓ１０のＢ）を説明する。調整部５２は、虹彩取得向けにセンサ５０を調整する（Ｓ２２）。虹彩入力の場合、利用者は認証入力装置１００の画像入力部１１に瞳を近づけるが、瞳から画像入力部１１までの距離は、その都度異なるため、調整部５２は、センサ５０を構成するＣＣＤカメラのレンズの焦点距離をオートフォーカスにより調整する。センサ５０により虹彩画像が取得される（Ｓ２４）。認証データ生成部５６は、センサ５０が取得した虹彩画像に、認証種別入力部５４から取得した認証種別が虹彩であることを示す識別情報を付加して、認証処理装置２００の特徴抽出部７０に供給する。特徴抽出部７０は、認証種別が虹彩であることから、認証データ生成部５６から供給された虹彩画像に対して虹彩向けの画像処理を行い、虹彩の特徴を抽出する（Ｓ２６）。
【００２９】
認証部７２は、個人認証データベース７４に格納された登録利用者の生体特徴データ７６を検索し、特徴抽出部７０により抽出された利用者の虹彩の特徴と照合して、一致するものがあるかどうか調べる（Ｓ２８）。照合の結果、登録利用者の虹彩であると判定された場合（Ｓ２８のＹ）、通知部５８は、利用者に許可通知を発し（Ｓ２０）、合致する虹彩が個人認証データベース７４に存在しない場合（Ｓ２８のＮ）、通知部５８は、利用者に拒否通知を発する（Ｓ３０）。
【００３０】
上記の認証手順では、指紋または虹彩のいずれかの照合結果にもとづき、利用者を認証しており、利用者によってはどちらかの生体情報が利用できない場合でも、いずれかの生体情報により利用者の認証が可能である。この認証手順を指紋および虹彩の両方の照合結果にもとづき、利用者の認証の成否を最終的に決定するように変形してもよい。この場合、指紋認証と虹彩認証の複合により認証精度を高めることができる。
【００３１】
本実施の形態の認証入力装置１００によれば、単一の入力デバイスに複数種類の認証情報を順次入力することができる。複数種類の認証情報は、指紋、掌紋、虹彩など複数種類の生体情報であってもよく、生体情報と暗証番号などの非生体情報の組み合わせであってもよい。一般には、複数種類の生体情報や、生体情報と非生体情報を入力するためには、個々の生体情報や非生体情報に合わせた専用の入力デバイスが用いられるが、本実施の形態では、入力デバイスを共通化したことで、装置全体のサイズを小さくするとともに、装置のコストを抑えることができる。
【００３２】
また、本実施の形態の認証システムでは、複数種類のバイオメトリクス認証の複合、もしくはバイオメトリクス認証とそれ以外の認証の複合によって、認証精度の向上を図ることができる。特に、利用者によっては特定種類のバイオメトリクス認証に適さないこともあるが、そのような場合でも、利用者は複数種類の認証方式を利用することができるため、認証システムの運用の幅を広げることができる。
【００３３】
また、本実施の形態の認証システムでは、単一の入力デバイスへの認証情報の入力の際に、利用者から認証情報の種類の入力も受けるため、認証情報の種類を判定する必要がなく、入力された認証種別に応じて認証処理を切り替えることができる。
【００３４】
実施の形態２
図１０は、実施の形態２に係る認証入力装置１１０の外観を示す図である。本実施の形態の認証入力装置１１０は、実施の形態１とは異なり、利用者が認証種別を指定するボタンは設けられていないが、あらかじめ想定された認証種別の認証情報の入力を利用者に促すためのディスプレイ３０を備える。実施の形態１の各タイプの認証入力装置１００ａ〜ｆにおいて、認証種別の選択ボタンの構成を外し、ディスプレイ３０に置き換えることで、いろいろなタイプの認証入力装置１１０を構成することができる。図１０の認証入力装置１１０は、図１に示したタイプの認証入力装置１００ａの認証種別の選択ボタンを外して、ディスプレイ３０を設けたものであり、以下、このタイプを例に実施の形態２を説明するが、他のタイプであっても、構成と動作は同様である。
【００３５】
利用者は入力部１０に指紋または署名を入力する。認証入力装置１１０は、入力された認証情報が指紋であるか、署名であるかを自動判定する。ディスプレイ３０には、指紋および署名以外の認証情報が入力された場合に、「指紋または署名を入力してください。」などの警告メッセージが表示される。
【００３６】
図１１は、実施の形態２に係る認証システムの構成図である。認証システムは、認証入力装置１１０と認証処理装置２００を含む。認証入力装置１１０は、センサ５０と、認証データ生成部５６と、認証種別判定部６０と、表示部６２と、通知部５８とを含む。認証処理装置２００の構成と動作は、図８に示した実施の形態１の認証処理装置２００と同じである。
【００３７】
認証データ生成部５６は、センサ５０が取得した信号を処理して、認証データを生成し、認証種別判定部６０に与える。認証種別判定部６０は認証データを解析し、あらかじめ想定された認証情報の種類の中で、認証情報の種別を判定する。認証種別判定部６０が認証種別を判定できない場合は、表示部６２は、所定の認証種別の認証情報を入力するように、利用者に通知するメッセージを表示する。
【００３８】
認証データ生成部５６は、認証種別判定部６０により判定された認証種別を示す識別情報を認証データに付加して、認証処理装置２００に提供する。通知部５８は、認証処理装置２００による認証結果を受けて、利用者に通知する。表示部６２が、認証処理装置２００による認証結果を表示するようにしてもよい。
【００３９】
図１２は、実施の形態２に係る認証システムによる認証手順を説明するフローチャートである。ここでは、図１０に示したタイプの認証入力装置１１０により構成した認証システムの認証手順を説明する。認証入力装置１１０のセンサ５０は、利用者の提示した認証対象の画像を取得する（Ｓ４０）。認証種別判定部６０は、取得された認証対象の画像が指紋であるか、署名であるかを判定する（Ｓ４２）。認証種別判定部６０が、認証対象の画像が指紋でも、署名でもないと判定した場合（Ｓ４２のＮＧ）、表示部６２は、指紋または署名の入力を利用者に促すように、エラー表示する（Ｓ４４）。
【００４０】
認証種別判定部６０が認証対象の画像を指紋であると判定した場合（Ｓ４２のＡ）、特徴抽出部７０は、認証データ生成部５６から供給された認証対象の画像に対して指紋向けの画像処理を行い、指紋の特徴を抽出する（Ｓ４６）。認証部７２による指紋照合の手順（Ｓ４８）、通知部５８による許可通知および拒否通知の手順（Ｓ５０およびＳ６０）は、図９のＳ１８、Ｓ２０およびＳ３０と同じである。許可通知、拒否通知は表示部６２により表示されてもよい。
【００４１】
認証種別判定部６０が認証対象の画像を署名であると判定した場合（Ｓ４２のＢ）、特徴抽出部７０は、認証データ生成部５６から供給された認証対象の画像に対して署名向けの画像処理を行い、署名の特徴を抽出する（Ｓ５６）。署名向けの画像処理として、エッジ抽出処理やエッジ強調処理などがある。認証部７２は、個人認証データベース７４に格納された登録利用者の生体特徴データ７６を検索し、特徴抽出部７０により抽出された利用者の筆跡を登録利用者の筆跡と照合して、一致するものがあるかどうか調べる（Ｓ５８）。照合の結果、登録利用者の筆跡に一致すると判定された場合（Ｓ５８のＹ）、通知部５８は、利用者に許可通知を発し（Ｓ５０）、いずれの登録利用者の筆跡とも一致しない場合（Ｓ５８のＮ）、通知部５８は、利用者に拒否通知を発する（Ｓ６０）。許可通知、拒否通知は表示部６２により表示されてもよい。
【００４２】
また、本実施の形態の認証システムでは、単一の入力デバイスに入力された認証情報の種類を自動判定するため、利用者が認証情報の種類を選択するためのボタンなどを設ける必要がなく、機器構成が簡単になり、ユーザの手間も省くことができる。また、想定外の種類の認証情報が入力された場合には、表示部に警告メッセージを表示することで、利用者に所定の種類の認証情報の入力を促すことができる。
【００４３】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００４４】
そのような変形例として、上記の実施の形態では、２種類の生体情報の組み合わせ、または生体情報と非生体情報の組み合わせによる複合認証を説明したが、当然に３種類以上の生体情報の組み合わせてもよく、また、非生体情報を複数種類用いてもよい。また生体情報として、上記で説明したもの以外に、網膜、静脈、声紋など個人を識別可能な他の生体情報を利用してもよい。たとえば、声紋を利用するシステムの場合、利用者にパスワードなどの発言を求めて、声紋認証とパスワード認証の複合認証が可能である。また、個人を識別可能な生体情報として、ジェスチャーを利用することもできる。歩き方など人間の運動も個人の識別に利用できる場合がある。身体的特徴に限らず、このような行動的特徴も生体情報として利用してよい。
【００４５】
実施の形態１では、利用者が認証種別の選択ボタンを押してから、入力デバイスに認証情報を入力したが、認証情報の入力後に、認証種別を指定してもよい。また、あらかじめ入力すべき認証情報の順序が定められており、その順番に認証情報を入力する構成として、認証種別の選択ボタンの構成を省いでもよい。その場合、表示部を設けて、次にどの種類の認証情報を入力すべきかを利用者に通知してもよい。
【図面の簡単な説明】
【００４６】
【図１】実施の形態１に係る認証入力装置の外観を示す図である。
【図２】実施の形態１に係る別のタイプの認証入力装置の外観を示す図である。
【図３】実施の形態１に係るさらに別のタイプの認証入力装置の外観を示す図である。
【図４】実施の形態１に係るさらに別のタイプの認証入力装置の外観を示す図である。
【図５】実施の形態１に係るさらに別のタイプの認証入力装置の外観を示す図である。
【図６】図５の認証入力装置に対して、認証情報が入力される様子を説明する図である。
【図７】実施の形態１に係るさらに別のタイプの認証入力装置の外観を示す図である。
【図８】実施の形態１に係る認証システムの構成図である。
【図９】図８の認証システムによる認証手順を説明するフローチャートである。
【図１０】実施の形態２に係る認証入力装置の外観を示す図である。
【図１１】実施の形態２に係る認証システムの構成図である。
【図１２】図１１の認証システムによる認証手順を説明するフローチャートである。
【符号の説明】
【００４７】
１０ａ、１０ｂ、１０ｃ、１０ｄ  入力部、  １１  画像入力部、  １２  指紋選択ボタン、  １４  署名選択ボタン、  １６  印影選択ボタン、  １８  掌紋選択ボタン、  ２０  テンキー、  ２２  虹彩選択ボタン、  ２４  顔選択ボタン、  ３０  ディスプレイ、  ５０  センサ、  ５２  調整部、  ５４  認証種別入力部、  ５６  認証データ生成部、  ５８  通知部、  ６０  認証種別判定部、  ６２  表示部、  ７０  特徴抽出部、  ７２  認証部、  ７４  個人認証データベース、  ７６  生体特徴データ、  ７８  非生体特徴データ、  １００、１１０  認証入力装置、  ２００  認証処理装置。
【図１】
2005100063.tif 000003
【図２】
2005100063.tif 000004
【図３】
2005100063.tif 000005
【図４】
2005100063.tif 000006
【図５】
2005100063.tif 000007
【図６】
2005100063.tif 000008
【図７】
2005100063.tif 000009
【図８】
2005100063.tif 000010
【図９】
2005100063.tif 000011
【図１０】
2005100063.tif 000012
【図１１】
2005100063.tif 000013
【図１２】
2005100063.tif 000014